(57)【要約】【課題】  排泄物を確実に隔離して、着用者の快適性を高めると共に、介護者の負担を軽減することができるおむつを提供する。【解決手段】  人体に装着されるおむつ本体１０と、おむつ本体１０の外側に設けられた収容体２０とを備え、おむつ本体１０は、着用者の肛門に対応する位置にスリット状の開口部１６が形成されており、排泄物が開口部１６を介して収容体２０の内部に収容されるように構成されたおむつ１であって、開口部１６を覆うようにおむつ本体１の内面側に設けられたゲル状体３０を備え、ゲル状体３０は、開口部１６に対応する位置に、開口部１６に沿って切込部３４を有する。【選択図】  図３
2016013220.tif 000002
【特許請求の範囲】
【請求項１】
人体に装着されるおむつ本体と、前記おむつ本体の外側に設けられた収容体とを備え、
前記おむつ本体は、着用者の肛門に対応する位置にスリット状の開口部が形成されており、排泄物が前記開口部を介して前記収容体の内部に収容されるように構成されたおむつであって、
前記開口部を覆うように前記おむつ本体の内面側に設けられたゲル状体を備え、
前記ゲル状体は、前記開口部に対応する位置に、前記開口部に沿って切込部を有するおむつ。
【請求項２】
前記ゲル状体は、粘着性を有する請求項１に記載のおむつ。
【請求項３】
前記ゲル状体は、内面側の中央部がカバーシートにより覆われており、
前記切込部は、前記ゲル状体と共に前記カバーシートに形成されている請求項２に記載のおむつ。
【発明の詳細な説明】
【技術分野】
【０００１】
本発明は、おむつに関する。
【背景技術】
【０００２】
おむつは、高齢化社会の進行に伴い、介護者向けに急速に普及している。着用者は寝たきりの方が多く、自力でおむつを履き替えすることが困難であることから、おむつの構成として、別室への排泄物の隔離や排泄物の臭い対策等が従来から検討されている（例えば、特許文献１〜７）。特許文献２に開示されたおむつは、半硬質プラスチックからなる観音開きの扉を介して排泄物を別室に案内するように構成されている。
【先行技術文献】
【特許文献】
【０００３】
【特許文献１】特開2005-137866号公報
【特許文献２】特開2012-223537号公報
【特許文献３】国際公開第2007/034774号パンフレット
【特許文献４】特開2012-34810号公報
【特許文献５】特開2008-132193号公報
【特許文献６】実開平6-63020号公報
【特許文献７】特開2009-106464号公報
【発明の概要】
【発明が解決しようとする課題】
【０００４】
ところが、上記特許文献２に開示されたおむつは、扉を押し開いて排泄物を排出するように構成されているため、着用者の体勢等によっては扉がうまく開かずに排泄物が滞留したままとなり、介護者の拭き取り作業等の負担が大きくなるおそれがあった。また、排泄物を別室に案内した後に扉が確実に閉じないおそれがあり、排泄物の臭いを確実に遮断できないという問題もあった。
【０００５】
そこで、本発明は、排泄物を確実に隔離して、着用者の快適性を高めると共に、介護者の負担を軽減することができるおむつの提供を目的とする。
【課題を解決するための手段】
【０００６】
本発明の前記目的は、人体に装着されるおむつ本体と、前記おむつ本体の外側に設けられた収容体とを備え、前記おむつ本体は、着用者の肛門に対応する位置にスリット状の開口部が形成されており、排泄物が前記開口部を介して前記収容体の内部に収容されるように構成されたおむつであって、前記開口部を覆うように前記おむつ本体の内面側に設けられたゲル状体を備え、前記ゲル状体は、前記開口部に対応する位置に、前記開口部に沿って切込部を有するおむつにより達成される。
【０００７】
このおむつにおいて、前記ゲル状体は、粘着性を有することが好ましい。
【０００８】
また、前記ゲル状体は、内面側の中央部がカバーシートにより覆われていることが好ましく、前記切込部は、前記ゲル状体と共に前記カバーシートに形成されていることが好ましい。
【発明の効果】
【０００９】
本発明によれば、排泄物を確実に隔離して、着用者の快適性を高めると共に、介護者の負担を軽減することができるおむつを提供することができる。
【図面の簡単な説明】
【００１０】
【図１】本発明の一実施形態に係るおむつを拡げた状態を示す概略平面図である。
【図２】図１に示すおむつの概略背面図である。
【図３】図１のＡ−Ａ断面図である。
【発明を実施するための形態】
【００１１】
以下、本発明の実施の形態について、添付図面を参照して説明する。図１および図２は、本発明の一実施形態に係るおむつを拡げた状態を示す概略平面図および概略背面図である。図１および図２に示すように、おむつ１は、人体に装着されるおむつ本体１０と、おむつ本体１０の外側に設けられた収容体２０とを備えている。
【００１２】
おむつ本体１０は、図１に示すように、前身頃および後身頃のそれぞれの幅方向両側にフラップ１２が形成されており、後身頃のフラップ１２には、幅方向外方に突出する止着テープ１４が設けられている。おむつ本体１０は、例えば、吸水紙や綿状パルプ等からなる吸収材の内側（人体に接触する側）に、不織布等からなる内側表面材を積層して構成され、幅方向両側に排泄物の漏れを防止するためのギャザー（図示せず）が設けられている。収容体２０は、例えば、ポリオレフィンフィルム等の防水材の外側に外側表面材が積層されて構成され、図２に示すように、おむつ本体１０の略全体を覆うように設けられている。おむつ本体１０および収容体２０は、加熱溶着や粘着テープ等により周縁部同士が密着され、内部に収容空間が形成される。
【００１３】
おむつ本体１０の内面側には、図１に示すように、人体の臀部に接触する位置に、ゲル状体３０が設けられている。ゲル状体３０は、冷却シート、化粧用シート、パップ剤等の人体への貼着用として公知のシート状のものを好ましく適用することができ、例えば、不織布等からなる支持体に水性ゲル状組成物を塗布して構成される。水性ゲル状組成物は、例えば、カラギーナンなどのゲル化剤、ガラクトキシログルカンなどの粘着剤、および水分を含んで構成され、粘着性を有するものを好ましく使用することができる。ゲル状体３０の形状は特に限定されず、円形状、楕円形状、矩形状など種々の形状であってもよいが、本実施形態においては正方形状の四隅の一つを切り欠いた形状を有しており、この切欠部が女性の尿道口に対応するようにゲル状体３０が配置されている。ゲル状体３０は、必ずしもシート状のものに限定されず、例えば、おむつ本体１０にゲル状組成物を直接塗布して形成することもできる。
【００１４】
ゲル状体３０の中央には、カバーシート３２が設けられている。カバーシート３２は、紙や不織布等からなり、ゲル状体３０の粘着面を覆うことで人体への粘着を防止する。カバーシート３２の形状は、本実施形態においてはゲル状体３０の形状に合わせて正方形状としているが、ゲル状体３０とは異なる形状であってもよい。カバーシート３２は、ゲル状体３０の露出部が周囲を取り囲むように配置されることが好ましい。ゲル状体３０およびカバーシート３２には、前後方向に沿って切込部３４が形成されている。
【００１５】
図３は、図１のＡ−Ａ断面図である。おむつ本体１０には、スリット状の開口部１６が前後方向に形成されている。開口部１６は、着用者の肛門に対応する位置に形成されており、開口部１６を介して排出された排泄物を、収容室２０に収容することができる。ゲル状体３０は、開口部１６を覆うように配置されており、切込部３４が、開口部１６に対応する位置に開口部１６と概ね同じ長さで形成されている。
【００１６】
上記の構成を備えるおむつ１は、おむつ本体１０の開口部１６がゲル状体３０により覆われており、開口部１６に対応する位置に切込部３４が形成されているため、ゲル状体３０を着用者の臀部に密着させて、開口部１６および切込部３４を、着用者の肛門に容易且つ正確に位置合わせすることができる。したがって、着用中の開口部１６の位置ずれを防止することができ、開口部１６を介して排泄物を確実に収容室２０に案内することができると共に、排泄物が開口部１６を通過した後は、ゲル状体３０の粘着力によって切込部３４が自動的に閉止されるため、排泄物の臭いの拡散を防止することができる。このように、本実施形態のおむつ１は、排泄物を確実に隔離することができるので、着用者の快適性を高めると共に、介護者の負担を軽減することができる。開口部１６および切込部３４の長さは、小さすぎると排泄物を収容室２０に案内するのが困難になる一方、大きすぎると開口部１６の全体を切込部３４の粘着力で閉止するのが困難になることから、例えば、５０〜８０ｍｍであることが好ましい。
【００１７】
また、ゲル状体３０は、内面側の中央部がカバーシート３２により覆われているので、着用者の肛門近傍がゲル状体３０に密着するのを確実に防止することができ、着用者の排泄時にゲル状体３０が障害になるのを回避することができる。
【００１８】
以上、本発明の一実施形態について詳述したが、本発明の具体的な態様は、上記実施形態には限定されない。例えば、本実施形態のおむつ１は、フラップ１２および止着テープ１４を備えることで、単独で使用可能な構成としているが、フラップ１２および止着テープ１４を備えずに、布おむつやパンツ等の衣服と人体との間に介在させるライナー式の構成であってもよい。
【００１９】
おむつ本体１０および収容体２０は、両者の間に形成される空間に排泄物を収容可能であればよく、例えば、表面材、吸収体及び防水材の三層構造を備える従来のおむつを利用する場合には、表面材および吸収体をおむつ本体１０とし、防水材を収容体２０とすることにより、本実施形態と同様の製品を安価に製造することができる。
【符号の説明】
【００２０】
１  おむつ
１０  おむつ本体
１６  開口部
２０  収容体
３０  ゲル状体
３２  カバーシート
３４  切込部
【図１】
2016013220.tif 000003
【図２】
2016013220.tif 000004
【図３】
2016013220.tif 000005